(57)【特許請求の範囲】
【請求項１】
靴（1）の下部構造の後方部分に配置された収納部材（13）と、靴の縦方向にスライド可能で、該収納部材(13)に設けられた後方に突出する作動部(10)を有するスライダー(22)を備え、さらに収納部材（13）を取り囲む引張りレバーを備え、該引張りレバー（9）は上下に回動するように前方端部で取り付けられ、該レバー（9）は靴（1）を履いたときに足のかかとで押し下げることができ、スライダーが後方差込位置にある押下状態において、スライダーとロック状態となり、スライダー(22)を前方に移動させることによってロックを解除することができ、該引張りレバー（9）の下側には、固定部材(39)の上端部を案内するガイド(37)が設けられており、一方、固定部材(39)の下端部は、靴紐締め引張り部材（3）と共に作動すると共に縦方向のガイド（26）に案内され、固定部材は、バネ部材（7）によって、前方と上方に動くようにその方向にあらかじめ引っ張られている、靴の紐を締めるための引張り具であり、
前記ガイド（37）は一片レバーである固定部材（39）の上端部と連携し、互いにある角度をなして配置された2つの分枝部（37a,37b）を有し、
前記スライダー（22）は係止面（28）を有し、
前記固定部材（39）は、引張りレバー（9）が押し下げられた時に、係止面（28）に係合する係合部（41）を有し、これにより、スライダー(22)は後方にスライドして、引張りレバー（9）の差込部材と連携する後方差込位置に移動し、
さらに、前記スライダー（22）は、前方向に開放するリンクタイプのガイド部（30）を有し、
前記固定部材（39）の係合部（41）は、スライダー（22）が後方に移動することにより、引張りレバー（9）が押し下げられた時に、該ガイド部（30）と係合し、
この作動により、引張りレバー(9)のガイド(37)と係合する固定部材（39）の係合部（41）は、引張りレバー（9）のガイド（37）の前方分枝部（37a）へと案内されるのに適した位置へと移動することを特徴とする靴の紐を締めるための引張り具。
【請求項２】
引張りレバー（９）のガイド(37)と係合する固定部材（39）の係合部（41）は、スライダー（22）の係止面（28）とガイド部（30）とも係合し、係止面（28）とガイド部（30）は相互に接続するようにスライダー（22）の前方端部に配置され、ガイド部（30）は、係止面（28）と支持面（29）の間に配置され、さらに、係止面（28）は下方から上方に向けて後方に傾斜し、一方、ガイド部（30）は、前方に開かれ、後方下方に傾斜した切欠部であることを特徴とする請求項1記載の引張り具。
【請求項３】
引張りレバー（9）のガイド（37）の後方分枝部(37b)は前方分枝部（37a）よりも急角度に伸張し、前方分枝部(37b)は前方に傾斜することを特徴とする請求項１記載の引張り具。
【請求項４】
スライダー（22）が、固定部材（39）の下端部と連携し縦方向のガイド（26）を形成するガイドスロットを有する側壁（25）を構成し、固定部材(39)が該ガイドスロットに差し込まれるガイドピン（40）を有し、ガイドピン（40）には取付け可能な靴紐締め引張り部材（3）が設けられ、上方に傾斜した前端部(26a)を有するスライダー（22）の縦方向ガイド（26）が上方に開放する挿入スロット（27）を有し、一方、引張りレバー（9）のガイド(37)は、前方分枝部（37a）の部分において、下方に開放する挿入スロット（38）を有し、これらスロット(27, 38)それぞれが固定部材（39）と係合することを特徴とする請求項１記載の引張り具。
【請求項５】
収納部材（13）が、ガイド（21）と、スライダー（22）に連携した端止部（46）と、スライダー（22）の側壁（25）の係止面(28)を有する前端部に沿って配置される支持側面（47）を有すると共に、差込窪み(33a)を形成する差込爪(33)によって引張りレバー(9)が保持される突出舌片(18)を有し、この舌片には、差込爪（33）と連携して引張りレバーの脱離を防止するための端止部19aが設けられていることを特徴とする請求項１記載の引張り具。
【請求項６】
靴紐締め引張り手段が足の甲の部分を取り囲むストラップより成り、該ストラップ(２)の両側面端と係合し、固定部材（39）の下端部と連携して押されたり、引っ張られたりする靴紐締め引張り部材(３)と、ストラップ(2)と連携する上端止部（4）とを有することを特徴とする請求項１記載の引張り具。
【請求項７】
収納部材（13）が、固定部材（39）の前端部と連携する差込切欠部（50）を有し、この切欠部(50)と引張りレバー（9）と連携する収納部材（13）の軸（20）との間の間隔は、引張りレバーに設けられたガイド溝(37)の挿入スロットの下端部と、軸(20)と連携する引張りレバー（9）の差込窪み（33a）との間の間隔に該当することを特長とする請求項１記載の引張り具。
【請求項８】
請求項１乃至７のいずれかに記載の引張り具を備える靴。
【発明の詳細な説明】
【０００１】
【発明の属する技術分野】
この発明は靴の紐を締めるための引張り具に関する。
【０００２】
【従来の技術】
この発明は、靴の紐を締めるための引張り具であるが、以下のような引張り具が存在する。靴の下部構造の後方部分に収納部材を有し、靴の縦方向にスライド可能な収納部材に設けられた後方に突出する作動部を有するスライダーを備えている。さらに収納部材を取り囲む態様で引張りレバーを備え、引張りレバーは上下に動くように前方端部に取り付けられる。レバーは、靴を履いたとき、足のかかとで押し下げることができ、スライダーが後方の差込位置にある押下状態において、スライダーとロック状態となり、スライダーを前方に移動させることによってロックを解除することができ、引張りレバーの下側には、固定部材の上端部を案内するガイドが設けられており、一方、固定部材の下端部は、靴紐締め引張り部材と共に作動すると共に、縦方向のガイドに案内され、固定部材は、バネ部材によって、前方と上方に動くようにその方向にあらかじめ引っ張られている。
【０００３】
この種の器具はドイツ特許DE 36 29 292 に記載されている。この特許公報は、各々、一段階あるいは二段階で開く靴紐締め引張り部材の2つの実施例を開示している。固定部材を形成するために、靴紐締め引張り部材の2段階開放式器具はレバー部材を具備し、このレバー部材は、相互にかつ引張りレバーと連結する二つのレバーからなり、二つのレバーは関節結合している。このレバー部材は、引っ張り位置において伸張し、スライダーによって可動する端止部方向に引っ張りバネの作用によって引っ張られている。可動な端止部の幾分か離れた後方に、固定された端止部がある。可動する端止部をロック解除する間、該レバー部材は、開放運動の第1段階を行うために、第一端止部へと押し進められる。その後、開放運動の第2段階を行うために、第2のバネにより、レバー部材は締められた位置へと動かされる。この知られた装置は大変高価でありながら、機能的においてあまり信頼できるものではない。
【０００４】
【発明が解決しようとする課題】
これに基づき、本発明の目的は、序論で述べたタイプの装置を、簡単で経済的な手段を用いて改良し、しかも２段階レバー部材や第２バネをなくしたにもかかわらず、靴紐締め引張り部材の2段階開放動作を実現することである。
引張りレバーのガイド、すなわち一体的な一片レバーである固定部材の上端部に連携した該ガイドが、互いに関係しながら、斜めに配置された２つの分枝部を有し、スライダーは係止面を有し、そして固定部材は、引張りレバーが押し下げられたとき、該係止面に係合する係合要素を有する。その結果、スライダーは後方にスライド可能となり、引張りレバーの差込装置に連携した後方差込位置に至る。そして、スライダーはリンクタイプのガイド部材を有し、このガイド部材は前方に開放されている。一方、固定部材は係合要素を有し、  この係合要素は、スライダーを前方に動かすことにより、引張りレバーが押し下げられたとき、該ガイド部材と係合する。このような動きによって、引張りレバーの傾斜ガイドと係合する係合要素は、引張りレバーの傾斜ガイドの前方分枝内へと移動するのに好ましい位置へと動くことが可能になる。
【０００５】
このような手段は、一体的な固定部材とバネからなる簡単でコンパクトな構造を有益に提供し、比較的少ない数の構成要素のため、良質な機能の安全性に加え、簡単な生産性と取り付けを保障する。このようにして、この発明に基づく器具装置は従来技術の欠点を完全に克服するのである。
【０００６】
好ましい実施態様と有用な改良点は、後に記載する請求項に示される。この器具においては、引張りレバーのガイドに係合する固定部材の係合要素が、さらに、係止面とスライダーのガイドの接続部とも係合し得るように構成されているので、追加の係合要素が必要なくなる。その結果、特に簡単でコンパクトな構造が得られる。
さらに、この手段は、固定部材の下端部と連携した縦方向のガイドを形成するスロットを備えた側壁を構成するスライダーを有し、該スロットへと導かれる固定部材の側面のピンを伴い、靴紐締め部材が該ピンに取り付けられる。固定部材を可動なスライダー（スライダーは、側壁を有する収納部材に設けることが好ましい）に取り付けたことで、特に良好な機能的安全性を高め、本願発明の引張り具を靴に挿入することを容易にする。
引張りレバーが差込爪によってヒンジ係合する突出舌片を収納部材に設けることが好ましい。収納部材に引張りレバーを配置することで、簡単な方法で、正確で機能的に安全な手段を可能にし、同時に完全に前もって組立てられた器具を提供できる。この発明に基づく器具は、こうして、あらかじめ組立てられた器具として、必要な靴に挿入することができる。
これら手段を含むさらに有益な態様と好ましい改良は、従属する請求項に記載されており、図面を参照して記載する以下の説明欄において説明される。
【０００７】
【発明の実施の形態】
図1と2に示される靴1は、長されたスリットを有する足の甲の部分を取り囲むストラップ2を有する。靴紐締め引張り部材3はストラップ2の側端部の各部分に作用する。これらは押圧しても比較的硬くて曲がらないプラスチックリボンで良く、そのようなプラスチックリボンは押したり引いたりする要素として動作し得るのである。靴紐締め引張り部材3はストラップに構成される紐孔にかけることのできるフックを構成することができる。都合の良いことに、ストラップ2の各側はいくつかの紐孔を有する。これによって、ストラップ2と側部の靴紐締め引張り部材3によって形成される靴紐締め引張り部材全体の望ましい引張りを調整することが可能になる。
【０００８】
靴紐締め引張り部材3はストラップ2の底面部に作用し、一方、靴に設けられた各溝に配設されているので、靴紐締め引張り部材3は外側からは見えない。靴紐締め引張り部材3を動かすことによって、ストラップ2は、図1の靴が閉じられている引張り状態から、図2の緩められた状態まで動かすことができ、その緩められた状態で、靴1の延長スリットは開き、靴の脱ぎ履きができるようになる。引張り状態において、ストラップ2は、縫い付けられた部分などによって、靴に具備された関連する端止部4に対して静止状態となり、該端止部4が引張り状態においてストラップ2が正確な位置を保てるように確保する。
【０００９】
機構8は、靴1の下部構造の底面5とかかと6からなる後方部分に組み込まれていて、引張りバネ7を有し、靴紐締め引張り部材3を作動するために具備されている。靴を履いたとき、該機構8は足のかかとで押し下げられる引張りレバー9によって引き締められ、外部から作動できる押し作動部10によってその状態は解除され得る。該押し作動部10は靴の下部構造に構成される空間11へと繋がる溝12に設置され、機構8へと関連する。該溝12は、かかと6の後部に出口を持ち、示された実施例で、この位置は開かれた状態であるが、しかしこれは膜かそれに準ずるものによって覆われることも可能である。
【００１０】
図3から9は、以下に詳しく記している機構8の詳細を示したものである。
【００１１】
機構8は、図3に図示され、実用的な適用において、取付けのキャリアとしての役割を持つ収容部13を有し、該機構8は空間11に挿入可能である。該収納部材13はいわば長細い凹みである窪み14を構成するフロア15を構成し、該フロア15の範囲を定めている2つの側壁16を備え、2つの側壁16がＵ字の橋で連結され、そしてその上部から、舌片18が微妙に下向きの角度に突き出ている。それは図1と2に記されている。空間11は、よって舌片18に連携する突出部を有する。図1と2に表されるように、靴1の中底19は突出部を含む空間11に連携したセクション20を構成する。前端部において、舌片18は軸20によって横切られた窓19を構成し、そこへ図6と7の既に述べられた引張りレバー9が収容できる。
【００１２】
収納部材13の側壁16の部分において、縦方向のガイド21を形成する溝が具備され、その溝に図4と5に示されるようにスライダー22が収容される。図4に最もはっきりと示されるように、スライダー22はだいたいＵ字形状のフレーム23を構成し、そこから既に述べられた押し作動部10を形成する突出部が後方に突出し、該Ｕ字型フレーム23は収納部材の連携した縦方向のガイド21に挿入できる側面のガイドビーズ24を構成する。端止部と反対側の端止部は、スライダーの動きの範囲を定めるため、スライダー22上とその収納部材13上に具備される。
【００１３】
図5に示されるように、Ｕ字型フレーム23の各側壁25は縦方向のガイドを形成するためのガイドスロット26を構成し、該ガイドスロットの前方のセクション26aは、微妙に上向き方向に傾斜するように形成されている。残りのガイドスロットはガイドに対してほぼ平行である。この範囲において、上向きに開かれた挿入スロット27が具備される。側壁25の前方の端部分において、しかもその上方の隅の部分において、該側壁25は後方に向かって上向きに傾斜した係止面28を構成し、そして支持面29が該係止面28の下側に配置され、該支持面29は実施例に示されるようにほぼ水平になっている。係止面28と支持面29の間に配置されているのは、リンクタイプのガイド部材30であり、これは前方に向かって開かれた切欠部によって形成されている。該ガイド部材30の上方への制限は、係止面28に対応して接していて、その一方、該ガイド部材30の下方への制限は支持面29に接する。
【００１４】
Ｕ字型フレーム23の後方橋部の裏部分において、押し作動部10を形成する突出部は、開放部31を構成し、その側部の面は各々連携した側部の面の前半分をほぼ横切るだけに延長された差込歯32を構成する。よって、開放部31の後半分はいかなる差込歯をも構成しない。差込歯32は図1の引張り状態で、引張りレバー9をロックするために使う。
【００１５】
図6と7により詳しく示される引張りレバー9は、前方の端部分で、収納部材13の舌片18の軸20にロックすることができる差込爪33を構成し、その事によって引張りレバー9のヒンジ付け手段を具備する。後方の先端部分において、引張りレバー9はバネの下方に突出している2つの脚部34を構成し、該脚部34は横方向へ突出している差込歯35を構成する。これは図7によりはっきりと示される。このようにして、引張りレバー9はスライダー22上の差込歯32に係合するようになり、これはすでに上記で記された如くである。その底面においては、引張りレバー9は下方に突出している2つの平行ストラップ36を構成し、該ストラップはガイドスロット37を構成している。これらのガイドスロット37はＵ字型に曲げられており、従って、前方と後方に向かって2つの分枝部
37a, 37bが形成されている。後方の分枝部37bは、後方から前方にかけてほんの少しだけ傾斜している前方分枝部37aよりも、ちょっと急角度に配置されている。前方の分枝部37aの部分において、ガイドスロット37は底に向いて開かれている挿入スロット38を構成している。
【００１６】
引張りレバー9は、図8と9の固定部材39によってスライダー22に接続される。これによって、固定部材39の上端部は、引張りレバー上のガイドスロット37に係合するようになり、同時に該固定部材39の端部がスライド上にあるガイドスロット26に係合するようになる。これによって、固定部材39の下端部はスライド上の側壁25の間に挿入され、同時に該固定部材39の上端部は引張りレバー上のストラップ36の間に挿入される。その下端部において、該固定部材39は横方向に突出しているガイドピン40を構成しており、スライドのガイドスロット26と連携し、同時にその上端部においては、図8，9の右に見られるように、該固定部材39は引張りレバー上にあるガイドスロット37と連携する横方向に突出したガイドピン41を有する。ガイドピン40,41は、それぞれ挿入スロット27と38を通って、連携したガイドスロット26と37にそれぞれ挿入される。そのピンの直径はスロットの幅にほぼ一致する。ピンの基盤部分において、固定部材の幅はスライダー上の側壁25のすき間にほぼ一致し、一方で引張りレバー上では、ストラップ36のものと一致する。
【００１７】
固定部材39の下端部において、紐孔42は上部のガイドピン41と反対側の下側のガイドピン40側に具備され、該紐孔42は上部と下部のガイドピン40,41の間をつないだラインの下に配置される。上記で述べられた引張りバネ７は該紐孔42の中に引っ掛けられる。それらの外側の縁において、下部ガイドピン40はとがった端フランジ43を構成する。このようにして、下部ガイドピン40の部分に取り付けられる靴紐締め引張り部材3で、その部分がスライドの側壁25から飛び出ているようになっているものは、安定したものとなる。図8の下に示されるように、該靴紐締め引張り部材3はリング44を具備することもできる。こうして部材3は十分に引っ張られて、連携した端フランジ43側をも動かされる。
【００１８】
図10は、発明に基づく器具を、取り付けられた状態で示している。ヒンジ回動可能となるようにしておくために、引張りレバー9の差込爪33は、収納部材13の舌片18の軸20に係合するようになっている。この態様において、窓19の後方縁は爪33の後方と調和して作動する端止部19aの縁を形成する。結果的に、該爪33は、ほぼ垂直な位置でしか、掛けたり外したりすることができず、操作範囲に相当する角度の範囲においては掛けることも外すこともできない。爪33の後方部は実際的に、差込窪みに関連して同軸的に配置されている。スライダー22のガイドビーズ24は、収納部材上のガイド溝21に係合するようになっている。端止部を形成するために、下部突出部45は、スライダー22のＵ字型フレーム23の後方橋の下方に突出しており、その該突出部45が長細い凹み14の中に突出し、長細い凹みの後方の端と作用しあうようになる。一方、スライダー22のＵ字型フレームの側壁25の前方端部は、図3に示すように、収納部材13の端止面46と作用しあい、該端止面46は側部の面25まで横断するように伸びている。
【００１９】
引張りレバー9の長さは以下に示すようなものである。:バネの脚部34の差込歯35は後端部に具備され、スライダー22の後方端止部の位置でスライダーの上の差込歯32に係合されることができ、しかもスライダー22の前方端止部の位置においては、引張りレバーの上の差込歯35はそのように係合しなくて、スライダーの開放部31の後方半分に存在し、その後方半分はいかなる差込歯35をも有しない。スライダー22が前方端止部の位置にある時、スライダー22上にある側壁25の前方端部は、収納部材上の関連する支持側面47によって収納部材上の側面に置かれる。該支持側面47は図3に示されている。側壁25は支持側面47と関連する拡大部48を構成することができる。該拡大部48は図4に示されている。
【００２０】
引張りレバー9とスライダー22は固定部材39によって連結されている。これにより、上記で既に説明のとおり、下部のガイドピン40はスライダー上のガイドスロット26を通って移動し、一方、上部のガイドピン41は引張りレバー9上のガイドスロット37を通って移動する。ガイドスロット26、37の配置は、引張りレバー9の上げられたスタンバイ状態にあっても、これは図10に図示されているが、固定部材39が前方に傾くようになる。いずれの場合にも、連携した靴紐締め引張り部材3のリング44は、下部ガイドピン40の端部に収容され、該端部はスライダー22の側壁25を突き出るようになっている。引張りバネ７の後方端部は固定部材39の紐孔42に引っ掛けられている。該引張りバネ７の前方端部は収納部材13の前方横断橋部に配置されたフック49に引っ掛けられている。
【００２１】
紐孔42の位置が理由で、引張りバネ７によって引き起こされる動作（カーブした矢印で示されている）の結果、固定部材39は下部ガイドピン40からなる軸にかけられて、ヒンジ回動し前に引かれる。このような方法によって、下部のガイドピンは、関連するガイドスロット26の前方端部に対して静止する。一方、上部のガイドピン41は関連するガイドスロット37の後方端部に対して静止する。このようにして、バネ７の引張り力もまた、スライダー22に移され、従って前方に動かされ、前方ストップ端位置に至る。ここで、すでに上記で述べたように、スライダー上の側壁25の前方端部は収納部材の端止面46に対して静止する。固定部材39の回動運動の結果として、引張りレバー9の後方端部は、上向きに回動し、図10のスタンバイ状態をもたらす。
【００２２】
機構8のこの状態は、それぞれの靴が履かれたときの初期的状態である。靴が履かれたとき、あるいは足が靴の中に押し入れられたとき、靴に挿入された足のかかとが引張りレバー9を押し下げる。初めうちは、上述の通り、バネの後方脚部34はスライダー上の開放部31の後方部と係合し、該後方部は差込歯を構成せず、そのためロックされない。これは図11の左側に示される。引張りレバー9のこのような動作の間に、固定部材39は図10の矢印の方向と逆に動かされる。このプロセス間に、下部のガイドピン40は、ガイドスロット26によって形成される縦方向のガイドに沿って、後部に動く。これは縦方向のガイド26の前方部26aの上記で説明した上方への傾きによって促進される。固定部材39の下部のこの動きの結果、該固定部材39に引っ掛けられたバネ７は引張り状態となる。
【００２３】
図12に図示する、前もって引っ張られている端位置に、機構が達する直前に、固定部材39の端位置が完全にスライダー22に埋め込まれ、上部ガイドピン41の端部は、この端部は引張りレバー9の側面ストラップ36に突き出ているのだが、図11の右に示されるように、スライダー上の傾斜した係止面に対して静止する。この結果、スライダー22は、この時点までいた前方端止位置から、後方端止位置に戻される。この動きの結果、スライダー22上の差込歯32と引張りレバー上の差込歯35との間に相互係合があり、これは図12に示された通りである。この差込係合の結果、引張りレバー9とそれに付随する機構8全体は、バネ7の引張り作用に反対してロックされる。このような配置により、固定部材39は下部の端位置になる。図12にさらに示されるように、前方のガイドピン41の側面端部は、スライダー22の側壁25の前方端部に具備される支持面29に対して静止する。
【００２４】
引張りレバー9が押し下げられたとき、下部ガイドピン 40は図10と12に示される下部ガイドピンの位置間の違いに対応する距離ｓを移動する。下部のガイドピン40に取り付けてある靴紐締め引張り部材3は、ｓと同じ距離だけ引っ張られる。このようにして、該靴紐締め引張り部材3に取り付けられているストラップ2は、図2の緩められた位置から、図1の張り状態に移動させられるが、この引張り位置においてはそれぞれの靴1はしっかりと安定している。
【００２５】
靴１脱ぐために、靴紐締め引張り部材は緩められる。これによって、押し作動部10は図2の位置に動かされる。図13と14に示されるように、結果的に、取り付けられたスライダー22もまた、解除すために、引張りレバー上の差込歯35とスライダー上の差込歯32から十分遠ざけるように前に動かされ、そのようにして機構を解放する事ができる。同時に、上部ガイドピン41の側面端部が支持面29から離され、隣接するガイド部材30の中に向かい、このガイド部材30はスライダー22上に位置するが、後方部に向かって、下向きに傾斜する。これは図14の右にさらに示されている。スライダー22の前方運動の結果、固定部材39の上部ガイドピン41は、このガイドピン41は引張りレバー上のガイド37の後方分枝部37bと同時に係合しているが、下向きに動かされる。ガイド部材30の深さは、上部ガイドピン41が後方に傾斜した後方分枝部37bと、引張りレバー上のガイド37の前方に傾けられた前方分枝部37aとの間の移行部分に動かされるほどであり、それは図15に示されている。この位置に達するや否や、固定部材39の上部ガイドピン41は、引張りレバー9上のガイドの前方分枝部37aへと動く。この動作の間、図15においては矢印で示されるとおりで、バネの力は固定部材39に作用するのであるが、該固定部材39を、ガイドピン41が引張りレバー9上のガイド37の前方分枝部37aの前方端に対して静止するまで前方に押す。この位置は図16から18に図示されている。
【００２６】
前方運動の距離vは、このようにしてカバーされているが、実際には、引張りレバー9上のガイド37の前方分枝部37aの水平突出部分に相等している。都合の良いことに、固定部材39のこの前方動作と、またこのように固定部材39の後方ガイドピン40に取り付けられた靴紐締め引張り部材3についての前方動作は、引張りレバー9がまだ押し下げられた状態でも既に可能である。この前方動作のため、第一段階において、靴紐締め引張り部材は、引張りレバー9がまだ押し下げられている状況において緩められ、それは、図1と2の位置の中間位置に動かされるストラップ2を伴う。この中間位置は図18に示されている。このようにして、足のかかとはある程度自由に動かすことができ、靴1から簡単に脱ぐことができる。
【００２７】
引張りレバー9は固定部材39によって上向きに動かされ、かかとが靴1から脱げる程度に、引張りバネ７（図19においては作用矢印としか表されていないが）が引張りレバー9に前方運動の作用及びトルクを加える。同時に、固定部材39の下端部は、バネの作用により、下部のガイドピン40が、スライダー22上の縦方向ガイドの前方端部に対して静止するまで前に進められ、この下部カイドピンは、スライダー22上の縦方向ガイドを形成するガイドスロット26と係合する。このプロセスにおいて、下部ガイド40とまた、このようにそこに取り付けられた靴紐締め引張り部材3は、距離ｓだけ前方に移動する。その結果として、靴紐締め引張り部材3のストラップ2は、図2の完全に緩んだ位置へと移動する。紐締め引張り部材の開放は、このように2段階で起こる。：最初の段階において距離vだけ移動し、2段階目において距離sだけ移動する。
【００２８】
図19の位置に達した時、そしてかかとが引張りレバー9を完全に解放したとき、固定部材39は引張りバネ7によるモーメントの結果として、すなわち図19で示されるように反時計回りに、後方にさらに戻される。このプロセスの間、引張りレバー9上のガイド37の前方分枝部37aの中の上部ガイドピン41は、後方分枝部37bの中に移動する前に、後方にスライドする。このようにして、図2と10の初期位置に到達する。
【００２９】
この発明に基づく器具が靴の中に取付けされるとき、引張りレバー9があらかじめ取り付けられていない方が都合良く、それは視界を隠さないためである。他の構成要素はあらかじめ取り付けられていると都合良い。したがって、図20に示されるように、固定部材39と靴の中に挿入できる収納部材13の中にある引張りバネ７と同様に、スライダー22も既に組み込まれている。引張りレバー9の差込歯33だけが連携した軸20にかけらず、これは図20に、収納部材13から、いくらかの距離に引張りレバー9を描くことによって示されている。
【００３０】
後に続く引張りレバー9の取付けと、固定部材39への結合を容易にするために、図20に詳しく示すように、舌片18を収容する前方横断壁の内部にある収納部材13は、差込切欠部50を構成する。押し下げられた状態において、収納部材13に押し下げられた固定部材39の前方端部、すなわち上部ガイドピン41は、該差込切欠部50と係合するようにできる。固定部材39を差込切欠部とこのように係合するようにするためには、該固定部材39に作用している引張りバネ７の作用に逆らって該固定部材39が押し戻されなければならない。このように固定部材39は、差込切欠部50に係合する引張りバネによって引き起こされる力によって支えられ、このようにして、収納部材13に押し下げられた位置に収容される。
【００３１】
切欠部50と、引張りレバー9に関連する軸20の間の距離は、該軸20は収納部材13の舌片18に配置されているが、引張りレバー9の差込爪33の差込窪み33a（該差込窪み33aは軸20に関連している）と、引張りレバー9の下向きに突出したストラップ36の部分に具備されたガイドスロット37の傾斜した挿入スロット38の下部端との間の距離に相当する。引張りレバー9の差込爪33が軸20と係合するようにされ、そして収納部材13にヒンジ結合される時、前記の隙間のために、固定部材39のガイドピン41は、図20の差込位置にあり、傾斜した挿入スロット38の中に移動する。これは図20の一点鎖線によって示される。挿入スロット38の傾斜のために、固定部材39は幾分押し戻され、従って、差込切欠部50と係合しないようにされる。このような状態になるや否や、該固定部材39に作用する引張りバネ７によって、固定部材39の前方端は、上向きになる。その結果、固定部材39の上部ガイドピン41は、連携したガイドスロット37の中へと自動的に移行する。このようにして、図10の状況に到達し、引張りレバー9は固定部材39により、スライダー22に正しく結合する。
【００３２】
引張りレバー9が、固定部材39と差込切欠部50との係合を確実に解除させるために、差込窪み50の深さは、ガイドピン41が挿入スロット38の下部端部分に入ってくる時に挿入スロット38の傾斜によって生じる固定部材39の後方移動量よりもいくらか浅くしてある。この端部分はガイドピン41の直径におおよそ相等する。この構成により、取付けられた引張りレバー9が押し下げられた時、固定部材39は確実に該引張りレバー9に自動的に係合する。これにより、引張りレバー9の一連の取付けを促進し、引張りレバー9をとりはずた状態での収納部材13の靴のくぼみへの取付けを簡単なものとしている。
【図面の簡単な説明】
【図１】この発明の引張り具を備えた靴の閉じた状態での縦方向断面図である。
【図２】図１の靴紐締め引張り部材が完全に緩められた状態を示す図である。
【図３】この発明の引張り具の収納部材の平面図である。
【図４】この発明の引張り具のスライダーの平面図である。
【図５】図4のスライダーの縦方向断面図である。
【図６】この発明の引張り具の引張りレバーの側面図（一部断面図）である。
【図７】図6の引張りレバーの背面図である。
【図８】この発明の引張り具の固定部材の平面図である。
【図９】図8の固定部材の側面図である。
【図１０】この発明の、あらかじめ組立てた引張り具の縦方向断面図であり、図２の開かれた状態のものである。
【図１１】スライダーとこれに係合する固定部材間の係合関係を示す図であり、完全に閉じた位置に至る直前の状態のものである。
【図１２】完全に閉じた位置に至った図10に該当する図である。
【図１３】スライダーが前方位置にある状態の図12に該当する図である。
【図１４】図13 の実施形態における、スライダー上のガイド結合部材と、これに対応する固定部材の係合要素との間の係合状態を示す図である。
【図１５】図13の実施形態における、固定部材の係合要素と、これに対応する引張りレバーのガイドとの間の係合状態を示す図である。
【図１６】図13の実施形態における、固定部材が前方位置に移動した後の図である。
【図１７】図16の実施形態における、固定部材の上部係合要素と引張りレバーに設けられたガイドとの係合状態を示す図である。
【図１８】図16と17の実施形態における、図1と2に対応する図であって、靴紐締め引張り部材が部分的に緩められている。
【図１９】図16の位置の後であって、図10の位置直前の状態を示すこの発明の引張り具を示す図である。
【図２０】この発明の引張り具（組み立て状態）の縦方向断面図であって、引張りレバーが引き続いて取付けられる状態を示す。
【図１】
0004000456.tif 000002
【図２】
0004000456.tif 000003
【図３】
0004000456.tif 000004
【図４】
0004000456.tif 000005
【図５】
0004000456.tif 000006
【図６】
0004000456.tif 000007
【図７】
0004000456.tif 000008
【図８】
0004000456.tif 000009
【図９】
0004000456.tif 000010
【図１０】
0004000456.tif 000011
【図１１】
0004000456.tif 000012
【図１２】
0004000456.tif 000013
【図１３】
0004000456.tif 000014
【図１４】
0004000456.tif 000015
【図１５】
0004000456.tif 000016
【図１６】
0004000456.tif 000017
【図１７】
0004000456.tif 000018
【図１８】
0004000456.tif 000019
【図１９】
0004000456.tif 000020
【図２０】
0004000456.tif 000021